(57)【要約】  ディスプレイ映像の回転を制御する装置及びその方法に係り、ディスプレイ映像の回転を制御するデバイスは、デバイスの回転を感知するセンサ部と、デバイスが回転される場合、ユーザの顔を撮影する撮影部と、撮影されたユーザの顔イメージに基づいて、デバイスでディスプレイされる映像の回転を決定する回転決定部と、決定に基づいて、ディスプレイ映像を回転させる映像回転部と、を含む。
2015513711.tif 000002
【特許請求の範囲】
【請求項１】
ディスプレイ映像の回転を制御するデバイスにおいて、
デバイスの回転を感知するセンサ部と、
前記デバイスが回転される場合、ユーザの顔を撮影する撮影部と、
前記撮影されたユーザの顔イメージに基づいて、前記デバイスでディスプレイされる映像の回転を決定する回転決定部と、
前記決定に基づいて、前記ディスプレイ映像を回転させる映像回転部と、を含むデバイス。
【請求項２】
前記デバイスの回転が感知される場合、前記撮影部を活性化させる撮影活性化部をさらに含むことを特徴とする請求項１に記載のデバイス。
【請求項３】
前記回転決定部は、前記顔イメージに含まれた目の形態に基づいて、前記ディスプレイ映像の回転を決定することを特徴とする請求項１に記載のデバイス。
【請求項４】
前記回転決定部は、前記目の横軸及び縦軸のうち少なくとも１つの方向に基づいて、前記ディスプレイ映像の回転を決定することを特徴とする請求項３に記載のデバイス。
【請求項５】
前記回転決定部は、前記顔イメージに含まれた目を連結した連結線の方向に基づいて、前記ディスプレイ映像の回転を決定することを特徴とする請求項１に記載のデバイス。
【請求項６】
前記回転決定部は、前記顔イメージに含まれた髪の毛の形状に基づいて、前記ディスプレイ映像の回転を決定することを特徴とする請求項１に記載のデバイス。
【請求項７】
前記映像回転部は、前記顔イメージに含まれた髪の毛の形状に基づいて、前記ディスプレイ映像の回転方向を決定することを特徴とする請求項６に記載のデバイス。
【請求項８】
前記回転決定部は、前記顔イメージに含まれた目と眉毛との位置に基づいて、前記ディスプレイ映像の回転を決定することを特徴とする請求項１に記載のデバイス。
【請求項９】
前記映像回転部は、前記顔イメージに含まれた目と眉毛との位置に基づいて、前記ディスプレイ映像の回転方向を決定することを特徴とする請求項８に記載のデバイス。
【請求項１０】
前記センサ部は、前記デバイス周辺の照度を測定し、
前記測定された照度に基づいて、前記デバイスの画面明るさを調節する明るさ調節部をさらに含むことを特徴とする請求項１に記載のデバイス。
【請求項１１】
ディスプレイ映像の回転を制御する方法において、
デバイスが回転されたか否かということを判断する段階と、
前記デバイスが回転される場合、ユーザの顔を撮影する段階と、
前記撮影されたユーザの顔イメージに基づいて、前記デバイスでディスプレイされる映像の回転を決定する段階と、
前記決定に基づいて、前記ディスプレイ映像を回転させる段階と、を含む方法。
【請求項１２】
前記デバイスが回転される場合、撮影装置を活性化させる段階をさらに含み、
前記ユーザの顔を撮影する段階は、前記活性化された撮影装置を利用して、前記ユーザの顔を撮影することを特徴とする請求項１１に記載の方法。
【請求項１３】
前記回転を決定する段階は、前記顔イメージに含まれた目の形態に基づいて、前記ディスプレイ映像の回転を決定することを特徴とする請求項１１に記載の方法。
【請求項１４】
前記回転を決定する段階は、前記目の横軸及び縦軸のうち少なくとも１つの方向に基づいて、前記ディスプレイ映像の回転を決定することを特徴とする請求項１３に記載の方法。
【請求項１５】
前記回転を決定する段階は、前記顔イメージに含まれた目を連結した連結線の方向に基づいて、前記ディスプレイ映像の回転を決定することを特徴とする請求項１１に記載の方法。
【請求項１６】
前記回転を決定する段階は、前記顔イメージに含まれた髪の毛の形状に基づいて、前記ディスプレイ映像の回転を決定することを特徴とする請求項１１に記載の方法。
【請求項１７】
前記顔イメージに含まれた髪の毛の形状に基づいて、前記ディスプレイ映像の回転方向を決定する段階をさらに含み、
前記ディスプレイ映像を回転させる段階は、前記決定された回転方向に、前記ディスプレイ映像を回転させることを特徴とする請求項１６に記載の方法。
【請求項１８】
前記回転を決定する段階は、前記顔イメージに含まれた目と眉毛との位置に基づいて、前記ディスプレイ映像の回転を決定することを特徴とする請求項１１に記載の方法。
【請求項１９】
前記顔イメージに含まれた目と眉毛との位置に基づいて、前記ディスプレイ映像の回転方向を決定する段階をさらに含み、
前記ディスプレイ映像を回転させる段階は、前記決定された回転方向に、前記ディスプレイ映像を回転させることを特徴とする請求項１８に記載の方法。
【請求項２０】
前記デバイス周辺の照度を測定する段階と、
前記測定された照度に基づいて、前記デバイスの画面明るさを調節する段階と、をさらに含むことを特徴とする請求項１１に記載の方法。
【請求項２１】
請求項１１に記載の方法をコンピュータで実行させるプログラムを記録したコンピュータで読み取り可能な記録媒体。
【発明の詳細な説明】
【技術分野】
【０００１】
本発明は、ディスプレイ映像の回転を制御する装置及びその方法に係り、さらに詳細には、ユーザを撮影したイメージを利用して、画面にディスプレイされる映像の回転を制御する装置及びその方法に関する。
【背景技術】
【０００２】
最近、映像をディスプレイするデバイスは、デバイスの回転状態によって、ディスプレイされる映像を回転させて表示している。すなわち、デバイスが縦方向に回転される場合、デバイスは、ディスプレイ映像を縦方向に回転して出力し、デバイスが横方向に回転される場合、デバイスは、ディスプレイ映像を横方向に回転して出力する。しかし、従来のデバイスは、ディスプレイ映像を回転させるために、デバイスの状態のみを考慮するために、ディスプレイ映像が不適切に回転され、ユーザの視聴に不都合をきたすという問題があった。従って、ディスプレイ映像の回転方向を効果的に決定することができる技術が必要である。
【発明の概要】
【発明が解決しようとする課題】
【０００３】
本発明の一実施形態は、デバイスが回転される場合、ユーザの顔イメージに基づいて、ディスプレイ映像の回転方向を決定することができる、ディスプレイ映像の回転を制御する装置及びその方法を提供する。
【０００４】
また、本発明の一実施形態は、ユーザの顔イメージに基づいて、ディスプレイ映像の回転方向を決定することができる、ディスプレイ映像の回転を制御する装置及びその方法を提供する。
【０００５】
また、本発明の一実施形態は、ユーザの顔イメージを効果的に撮影することができる、ディスプレイ映像の回転を制御する装置及びその方法を提供する。
【課題を解決するための手段】
【０００６】
前述の技術的課題を達成するための技術的手段として、本発明の第１側面は、デバイスの回転を感知するセンサ部と、前記デバイスが回転される場合、ユーザの顔を撮影する撮影部と、前記撮影されたユーザの顔イメージに基づいて、前記デバイスでディスプレイされる映像の回転を決定する回転決定部と、前記決定に基づいて、前記ディスプレイ映像を回転させる映像回転部と、を含む、ディスプレイ映像の回転を制御するデバイスを提供することができる。
【０００７】
また、前記デバイスは、前記デバイスの回転が感知される場合、前記撮影部を活性化させる撮影活性化部をさらに含んでもよい。
【０００８】
また、前記回転決定部は、前記顔イメージに含まれた目の形態に基づいて、前記ディスプレイ映像の回転を決定することができる。
【０００９】
また、前記回転決定部は、前記目の横軸及び縦軸のうち少なくとも１つの方向に基づいて、前記ディスプレイ映像の回転を決定することができる。
【００１０】
また、前記回転決定部は、前記顔イメージに含まれた目を連結した連結線の方向に基づいて、前記ディスプレイ映像の回転を決定することができる。
【００１１】
また、前記回転決定部は、前記顔イメージに含まれた髪の毛の形状に基づいて、前記ディスプレイ映像の回転を決定することができ、前記映像回転部は、前記顔イメージに含まれた髪の毛の形状に基づいて、前記ディスプレイ映像の回転方向を決定することができる。
【００１２】
また、前記回転決定部は、前記顔イメージに含まれた目と眉毛との位置に基づいて、前記ディスプレイ映像の回転を決定することができ、前記映像回転部は、前記顔イメージに含まれた目と眉毛との位置に基づいて、前記ディスプレイ映像の回転方向を決定することができる。
【００１３】
また、前記センサ部は、前記デバイス周辺の照度を測定し、前記デバイスは、前記測定された照度に基づいて、前記デバイスの画面明るさを調節する明るさ調節部をさらに含んでもよい。
【００１４】
また、本発明の第２側面は、デバイスが回転されたか否かということを判断する段階と、前記デバイスが回転される場合、ユーザの顔を撮影する段階と、前記撮影されたユーザの顔イメージに基づいて、前記デバイスでディスプレイされる映像の回転を決定する段階と、前記決定に基づいて、前記ディスプレイ映像を回転させる段階と、を含む、ディスプレイ映像の回転を制御する方法を提供することができる。
【００１５】
また、前記方法は、前記デバイスが回転される場合、撮影装置を活性化させる段階をさらに含み、前記ユーザの顔を撮影する段階は、前記活性化された撮影装置を利用して、前記ユーザの顔を撮影することができる。
【００１６】
また、前記回転を決定する段階は、前記顔イメージに含まれた目の形態に基づいて、前記ディスプレイ映像の回転を決定することができる。
【００１７】
また、前記回転を決定する段階は、前記目の横軸及び縦軸のうち少なくとも１つの方向に基づいて、前記ディスプレイ映像の回転を決定することができる。
【００１８】
また、前記回転を決定する段階は、前記顔イメージに含まれた目を連結した連結線の方向に基づいて、前記ディスプレイ映像の回転を決定することができる。
【００１９】
また、前記回転を決定する段階は、前記顔イメージに含まれた髪の毛の形状に基づいて、前記ディスプレイ映像の回転を決定することができる。
【００２０】
また、前記方法は、前記顔イメージに含まれた髪の毛の形状に基づいて、前記ディスプレイ映像の回転方向を決定する段階をさらに含み、前記ディスプレイ映像を回転する段階は、前記決定された回転方向に、前記ディスプレイ映像を回転させるものである。
【００２１】
また、前記回転を決定する段階は、前記顔イメージに含まれた目と眉毛との位置に基づいて、前記ディスプレイ映像の回転を決定することができる。
【００２２】
また、前記方法は、前記顔イメージに含まれた目と眉毛との位置に基づいて、前記ディスプレイ映像の回転方向を決定する段階をさらに含み、前記ディスプレイ映像を回転させる段階は、前記決定された回転方向に、前記ディスプレイ映像を回転させることができる。
【００２３】
また、前記方法は、前記デバイス周辺の照度を測定する段階と、前記測定された照度に基づいて、前記デバイスの画面明るさを調節する段階と、をさらに含んでもよい。
【００２４】
また、本発明の第３側面は、前記第２側面の方法をコンピュータで実行させるプログラムを記録したコンピュータで読み取り可能な記録媒体を提供することができる。
【発明の効果】
【００２５】
本発明の課題解決手段によれば、デバイスが回転される場合、ユーザの顔イメージに基づいて、ディスプレイ映像の回転方向を決定することができる。
【００２６】
また、前述の本発明の課題解決手段によれば、ユーザの顔イメージに基づいて、ディスプレイ映像の回転方向を決定することができる。
【００２７】
また、本発明の他の課題解決手段のうち一つによれば、ディスプレイ映像を回転させるために、ユーザの顔イメージを効果的に撮影することができる。
【図面の簡単な説明】
【００２８】
【図１】本発明の一実施形態によるディスプレイ映像の回転を制御するデバイスの詳細構成図である。
【図２】本発明の一実施形態による回転決定部がユーザの顔イメージに含まれた目の位置に基づいて、ディスプレイ映像の回転を決定する一例を図示した図面である。
【図３】本発明の一実施形態による回転決定部がユーザの顔イメージに含まれた目の形態に基づいて、ディスプレイ映像の回転を決定する一例を図示した図面である。
【図４】本発明の一実施形態による回転決定部がユーザの顔イメージに含まれた目と眉毛との位置に基づいて、ディスプレイ映像の回転を決定する一例を図示した図面である。
【図５】本発明の一実施形態による回転決定部がユーザの顔イメージに含まれた髪の毛の位置に基づいて、ディスプレイ映像の回転を決定する一例を図示した図面である。
【図６】本発明の一実施形態による、ディスプレイ映像の回転を制御する方法の詳細フローチャートである。
【発明を実施するための形態】
【００２９】
以下、添付した図面を参照し、本発明が属する技術分野で当業者が容易に実施することができるように、本発明の実施形態について詳細に説明する。しかし、本発明は、さまざまに異なる形態に具現可能であり、ここで説明する実施形態に限定されるものではない。図面において、本発明について明確に説明するために、説明と関係のない部分は省略し、明細書全体を通じて、類似した部分については、類似図面符号を付した。
【００３０】
明細書全体で、ある部分が他の部分と「連結」されているとするとき、それは、「直接に連結」されている場合だけではなく、その中間に、他の素子を挟んで「電気的に連結」されている場合も含む。また、ある部分がある構成要素を「含む」とするとき、それは、特別に限定する記載がない限り、他の構成要素を除くものではなく、他の構成要素をさらに含んでもよいということを意味する。
【００３１】
以下、添付された図面を参照し、本発明について詳細に説明する。
【００３２】
図１は、本発明の一実施形態によるディスプレイ映像の回転を制御するデバイスの詳細構成図である。
【００３３】
図１に図示されているように、本発明の一実施形態によるディスプレイ映像の回転を制御するデバイスは、センサ部１１０、撮影活性化部１２０、撮影部１３０、明るさ調節部１４０、回転決定部１５０、映像回転部１６０、ＤＢ（database）１７０及び制御部１８０を含む。
【００３４】
センサ部１１０は、デバイスが回転されたか否かということを感知する。デバイスが回転されたということは、デバイスの方向が変更されたり、あるいはデバイスの回転位置が変更されたりするということを意味する。センサ部１１０は、デバイスの縦軸方向と重力方向との角度に基づいて、デバイスの回転方向を感知することができる。センサ部１１０は、例えば、加速度センサ、ジャイロセンサ及び重力センサを含んでもよいが、それらに制限されるものではない。また、センサ部１１０は、デバイスの縦軸方向と重力方向との角度が既設定の数値以上に変更される場合、デバイスが回転されたということを判断することができる。また、センサ部１１０は、デバイスの縦軸方向と重力方向との角度に基づいて、デバイスの回転方向を感知することができるが、それに制限されるものではない。例えば、センサ部１１０は、デバイスの縦軸方向と重力方向とのなる角度が４５゜以下であるか、あるいは４５゜以上であるかということに基づいて、デバイスの回転方向を確認することができる。
【００３５】
また、センサ部１１０は、デバイス周辺の照度を感知することができる。センサ部１１０は、例えば、照度センサを利用して、デバイス周辺の照度を感知することができるが、それに制限されるものではない。
【００３６】
撮影活性化部１２０は、デバイスの回転方向に基づいて、後述する撮影部１３０を活性化させる。撮影活性化部１２０は、デバイスが回転されたと判断される場合、撮影部１３０を活性化させることができる。従って、デバイスは、ユーザのイメージを撮影するために消耗する電力を節約することができる。
【００３７】
撮影部１３０は、ユーザの顔を撮影する。撮影部１３０は、デバイスの前面に設置されたカメラを介して、ユーザの顔を撮影することができる。
【００３８】
明るさ調節部１４０は、デバイス周辺の照度値に基づいて、デバイスの画面明るさを調節することができる。明るさ調節部１４０は、デバイス周辺の照度値が、既設定の数値以下である場合、デバイスの画面明るさを高めることができる。例えば、明るさ調節部１４０は、デバイスのディスプレイ装置に含まれたバックライトの明るさを調節することにより、デバイスの画面明るさを調節することができるが、それに制限されるものではない。
【００３９】
回転決定部１５０は、ユーザの顔イメージに基づいて、デバイスでディスプレイされる映像を回転させるか否かということを決定する。回転決定部１５０は、撮影された顔イメージに含まれた目の形態に基づいて、ディスプレイ映像を回転させるか否かということを決定することができる。回転決定部１５０は、撮影された顔イメージに含まれた目の形態を分析し、目の横方向及び縦方向を判断することができる。また、回転決定部１５０は、目の横方向及びディスプレイ映像の横方向がなす角度に基づいて、ディスプレイ映像の回転方向を決定することができる。回転決定部１５０は、目の横方向及びディスプレイ映像の横方向の成す角度が、例えば、５０゜〜９０゜である場合、ディスプレイ映像を回転させるが、それに制限されるものではない。また、回転決定部１５０は、目の縦方向及びディスプレイ映像の横方向がなす角度に基づいて、ディスプレイ映像の回転方向を決定することができるが、それに制限されるものではない。
【００４０】
また、回転決定部１５０は、撮影された顔イメージに含まれた目を連結した連結線の方向に基づいて、ディスプレイ映像の回転方向を決定することができる。回転決定部１５０は、連結線の方向及びディスプレイ映像の横方向がなす角度に基づいて、ディスプレイ映像の回転方向を決定することができる。回転決定部１５０は、連結線の方向及びディスプレイ映像の横方向の成す角度が、例えば、５０゜〜９０゜である場合、ディスプレイ映像を回転させるが、それに制限されるものではない。また、回転決定部１５０は、連結線の方向及びディスプレイ映像の縦方向がなす角度に基づいて、ディスプレイ映像の回転方向を決定することができるが、それに制限されるものではない。
【００４１】
また、回転決定部１５０は、顔イメージに含まれた髪の毛の形状に基づいて、ディスプレイ映像の回転方向を決定することができる。例えば、回転決定部１５０は、髪の毛の形状の凸状部分が向かう方向に基づいて、ユーザの顔イメージの縦方向を確認することができ、ユーザの顔イメージの縦方向と、ディスプレイ映像の横方向とがなす角度に基づいて、ディスプレイ映像の回転方向を決定することができる。
【００４２】
また、回転決定部１５０は、顔イメージに含まれた髪の毛と、顔イメージの残り部分との位置に基づいて、ディスプレイ映像の回転方向を決定することができる。回転決定部１５０は、例えば、髪の毛及び残り部分の位置に基づいて、ユーザの顔イメージの縦方向を確認することができる。その場合、回転決定部１５０は、顔イメージの縦方向を確認するために、髪の毛の形状を参照することができる。また、回転決定部１５０は、ユーザの顔イメージの縦方向と、ディスプレイ映像の横方向とがなす角度に基づいて、ディスプレイ映像の回転方向を決定することができる。
【００４３】
また、回転決定部１５０は、顔イメージに含まれた目と眉毛との位置に基づいて、ディスプレイ映像の回転を決定することができる。回転決定部１５０は、目と眉毛との位置に基づいて、ユーザの顔イメージの縦方向を確認することができる。その場合、回転決定部１５０は、顔イメージの縦方向を確認するために、目と眉毛との形状を参照することができる。また、回転決定部１５０は、ユーザの顔イメージの縦方向及びディスプレイ映像の横方向がなす角度に基づいて、ディスプレイ映像の回転方向を決定することができる。
【００４４】
映像回転部１６０は、デバイスから出力されるディスプレイ映像を回転させる。映像回転部１６０は、回転決定部１５０の決定に基づいて、デバイスが回転される場合、ディスプレイ映像を回転させたり、あるいはディスプレイ映像の回転を防止したりすることができる。
【００４５】
映像回転部１６０は、デバイスの縦方向にディスプレイ映像を回転させたり、あるいはデバイスの横方向にディスプレイを回転させたりすることができる。デバイスの縦方向にディスプレイ映像が回転される場合、ディスプレイ映像の上部分が、デバイスの上部分に位置するように、ディスプレイ映像が回転される。また、デバイスの横方向にディスプレイ映像が回転される場合、ディスプレイ映像の上部分が、重力の反対方向に位置するように、ディスプレイ映像が回転される。
【００４６】
また、映像回転部１６０は、ユーザの顔イメージに基づいて、ディスプレイ映像の回転方向を決定することもできる。映像回転部１６０は、ユーザの顔イメージにおいて、目、眉毛及び髪の毛のうち少なくとも１つの位置に基づいて、ユーザの顔の上部分と、ディスプレイ映像の上部分とが一致するように、ディスプレイ映像を回転させることができるが、それに制限されるものではない。その場合、目、眉毛及び髪の毛の輪郭の屈曲に基づいて、ディスプレイ映像の回転方向が決定される。
【００４７】
ＤＢ １７０は、デバイスがユーザの顔イメージに基づいて、ディスプレイ映像の回転方向を決定するために必要な各種の情報を保存する。ＤＢ １７０は、ユーザの顔イメージの縦方向及びディスプレイ映像の横方向の角度によって、デバイスがディスプレイ映像を回転させるか否かということに係わる設定値を保存することができるが、それに制限されるものではない。
【００４８】
制御部１８０は、デバイス全体の動作を制御し、デバイスがユーザの顔を撮影し、撮影された顔イメージの方向によって、ディスプレイ映像の回転方向を決定するように、センサ部１１０、撮影活性化部１２０、撮影部１３０、明るさ調節部１４０、回転決定部１５０、映像回転部１６０及びＤＢ １７０を制御する。
【００４９】
以下、図２から図５を参照し、本発明の一実施形態による回転決定部１５０が、ユーザの顔イメージに基づいて、ディスプレイ映像の回転を決定する方法について説明する。
【００５０】
図２は、本発明の一実施形態による回転決定部１５０がユーザの顔イメージに含まれた目の位置に基づいて、ディスプレイ映像の回転を決定する一例を図示した図面である。
【００５１】
図２に図示されているように、本発明の一実施形態による回転決定部１５０は、ユーザの顔イメージに含まれた目を互いに連結した連結線２０の方向と、ディスプレイ映像の横軸２２の方向とを互いに比較することができ、連結線２０と横軸２２とがなす角度に基づいて、ディスプレイ映像２４を回転させるか否かということを決定することができる。回転決定部１５０は、例えば、連結線２０と横軸２２とがなす角度が、５０゜〜９０゜である場合、ディスプレイ映像２４を回転させる。また、顔イメージ内の眉毛、鼻、口及び髪の毛のうち少なくとも一つと、連結線２０との位置に基づいて、ディスプレイ映像の回転方向が決定される。
【００５２】
図３は、本発明の一実施形態による回転決定部１５０が、ユーザの顔イメージに含まれた目の形態に基づいて、ディスプレイ映像の回転を決定する一例を図示した図面である。
【００５３】
図３に図示されているように、本発明の一実施形態による回転決定部１５０は、ユーザの顔イメージから、目の輪郭３０を検出することができ、検出された輪郭３０を利用して、目の縦軸３２及び横軸３４を判断することができる。また、回転決定部１５０は、目の横軸３４と、ディスプレイ映像の横軸３６とがなす角度に基づいて、ディスプレイ映像３８を回転させるか否かということを決定することができる。回転決定部１５０は、例えば、目の横軸３４と、ディスプレイ映像の横軸３６とがなす角度が、５０゜〜９０゜である場合、ディスプレイ映像３８を回転させる。回転決定部１５０は、ユーザの顔の一部だけが撮影される場合にも、ユーザの目の形態を確認することにより、ディスプレイ映像の回転方向を効果的に決定することができる。また、眉毛、鼻、口及び髪の毛のうち少なくとも一つと、輪郭３０との位置に基づいて、ディスプレイ映像の回転方向が決定される。
【００５４】
図４は、本発明の一実施形態による回転決定部１５０がユーザの顔イメージに含まれた目と眉毛との位置に基づいて、ディスプレイ映像の回転を決定する一例を図示した図面である。
【００５５】
図４に図示されているように、本発明の一実施形態による回転決定部１５０は、ユーザの顔イメージに含まれた目と眉毛との位置に基づいて、ディスプレイ映像の回転方向を決定することができる。具体的には、回転決定部１５０は、ユーザの顔イメージから目の輪郭４０及び眉毛の輪郭４２を検出することができ、目の輪郭４０及び眉毛の輪郭４２を利用して、目と眉毛との位置を確認することができる。
【００５６】
また、回転決定部１５０は、目の屈曲から、目の縦方向に凸状部分を確認し、眉毛の凸状部分を確認することができ、確認された凸状部分に基づいて、ユーザの顔の縦軸４４の方向を決定することができる。また、回転決定部１５０は、ユーザの顔の縦軸４４と、ディスプレイ映像の横軸４６とがなす角度に基づいて、ディスプレイ映像４８の回転方向を決定することができる。回転決定部１５０は、例えば、ユーザの顔の縦軸４４と、ディスプレイ映像の横軸４６とがなす角度が０゜〜４０゜である場合、ディスプレイ映像４８を回転させる。また、目と眉毛との位置に基づいて、ディスプレイ映像の回転方向が決定されもする。
【００５７】
図５は、本発明の一実施形態による回転決定部１５０がユーザの顔イメージに含まれた髪の毛の位置に基づいて、ディスプレイ映像の回転を決定する一例を図示した図面である。
【００５８】
図５に図示されているように、回転決定部１５０は、ユーザの顔イメージから、ユーザの髪の毛の輪郭５０を検出することができ、髪の毛の輪郭５０において、凸状部分に基づいて、ユーザの顔の縦軸５２の方向を確認することができる。また、回転決定部１５０は、ユーザの顔の縦軸５２と、ディスプレイ映像の横軸５４とがなす角度に基づいて、ディスプレイ映像５６を回転させるか否かということを決定することができる。回転決定部１５０は、例えば、ユーザの顔の縦軸５２と、ディスプレイ映像の横軸５４とがなす角度が０゜〜４０゜である場合、ディスプレイ映像５６を回転させる。髪の毛の輪郭５０の凸状方向に基づいて、ディスプレイ映像の回転方向が決定されもする。
【００５９】
以下、図６を参照し、本発明の一実施形態によるディスプレイ映像の回転を制御する方法について説明する。
【００６０】
図６は、本発明の一実施形態による、ディスプレイ映像の回転を制御する方法の詳細フローチャートである。
【００６１】
段階Ｓ６００においてデバイスは、デバイスが回転されているか否かということを判断する。段階Ｓ６００においてデバイスは、デバイスの縦軸方向と重力方向との角度に基づいて、デバイスの回転方向を感知することができる。デバイスは、例えば、加速度センサ、ジャイロセンサ及び重力センサのうち少なくとも一つを利用して、デバイスの回転方向を感知することができる。
【００６２】
また、段階Ｓ６００においてデバイスは、デバイスの縦軸方向と重力方向との角度が既設定の数値以上に変更される場合、デバイスが回転されたと判断することができる。また、デバイスは、デバイスの縦方向と重力方向との角度に基づいて、デバイスの回転方向を感知することができる。例えば、デバイスは、デバイスの縦軸方向と重力方向とがなす角度が４５゜以下であるか、あるいは４５゜以上であるかということに基づいて、デバイスの回転方向を確認することができる。
【００６３】
段階Ｓ６０２において、デバイスが回転されたと判断された場合、段階Ｓ６０２においてデバイスは、撮影装置を活性化する。段階Ｓ６０２においてデバイスは、デバイスが回転されたと判断された場合、既設定の時間の間、撮影装置を活性化させることができる。
【００６４】
段階Ｓ６０４においてデバイスは、デバイス周辺の照度を測定する。段階Ｓ６０４においてデバイスは、デバイスに設置された照度センサを利用して、デバイス周辺の照度を測定することができる。
【００６５】
段階Ｓ６０６においてデバイスは、デバイスの画面明るさを調節する。段階Ｓ６０６においてデバイスは、デバイス周辺の照度値に基づいて、デバイスの画面明るさを調節することができる。デバイスは、デバイス周辺の照度値が既設定の数値以下である場合、デバイスの画面明るさを高めることができる。例えば、デバイスは、デバイスのディスプレイ装置に含まれたバックライトの明るさを調節することにより、デバイスの画面明るさを調節することができるが、それに制限されるものではない。
【００６６】
段階Ｓ６０８においてデバイスは、ユーザの顔を撮影する。段階Ｓ６０８においてデバイスは、デバイスの前面に位置した撮影装置を介して、ユーザの顔を撮影することができる。
【００６７】
段階Ｓ６１０においてデバイスは、ディスプレイ映像の回転方向を決定する。段階Ｓ６１０においてデバイスは、ユーザの顔イメージに基づいて、デバイスにおいてディスプレイされる映像を回転させるか否かということを決定することができる。デバイスは、撮影された顔イメージに含まれた目の形態に基づいて、ディスプレイ映像を回転させるか否かということを決定することができる。デバイスは、撮影された顔イメージに含まれた目の形態を分析し、目の横方向及び縦方向を判断することができる。また、デバイスは、目の横方向及びディスプレイ映像の横方向がなす角度に基づいて、ディスプレイ映像の回転方向を決定することができる。デバイスは、目の横方向、及びディスプレイ映像の横方向のなす角度が、例えば、５０゜〜９０゜である場合、ディスプレイ映像を回転させるが、それに制限されるものではない。また、デバイスは、目の縦方向、及びディスプレイ映像の横方向がなす角度に基づいて、ディスプレイ映像の回転方向を決定することができるが、それに制限されるものではない。
【００６８】
また、段階Ｓ６１０においてデバイスは、撮影された顔イメージに含まれた目を連結した連結線の方向に基づいて、ディスプレイ映像の回転方向を決定することができる。段階Ｓ６１０においてデバイスは、連結線の方向、及びディスプレイ映像の横方向がなす角度に基づいて、ディスプレイ映像の回転方向を決定することができる。デバイスは、連結線の方向、及びディスプレイ映像の横方向のなす角度が、例えば、５０゜〜９０゜である場合、ディスプレイ映像を回転させるが、それに制限されるものではない。また、デバイスは、連結線の方向、及びディスプレイ映像の縦方向がなす角度に基づいて、ディスプレイ映像の回転方向を決定することができるが、それに制限されるものではない。
【００６９】
また、段階Ｓ６１０においてデバイスは、顔イメージに含まれた髪の毛の形状に基づいて、ディスプレイ映像の回転方向を決定することができる。例えば、デバイスは、髪の毛の形状の凸状部分が向かう方向に基づいて、ユーザの顔イメージの縦方向を確認することができ、ユーザの顔イメージの縦方向と、ディスプレイ映像の横方向とがなす角度に基づいて、ディスプレイ映像の回転方向を決定することができる。
【００７０】
また、段階Ｓ６１０においてデバイスは、顔イメージに含まれた髪の毛と、顔イメージの残り部分との位置に基づいて、ディスプレイ映像の回転方向を決定することができる。デバイスは、例えば、髪の毛及び残り部分の位置に基づいて、ユーザの顔イメージの縦方向を確認することができる。その場合、デバイスは、顔イメージの縦方向を確認するために、髪の毛の形状を参照することができる。また、デバイスは、ユーザの顔イメージの縦方向と、ディスプレイ映像の横方向とがなす角度に基づいて、ディスプレイ映像の回転方向を決定することができる。
【００７１】
また、段階Ｓ６１０においてデバイスは、顔イメージに含まれた目と眉毛との位置に基づいて、ディスプレイ映像の回転を決定することができる。デバイスは、目と眉毛との位置に基づいて、ユーザの顔イメージの縦方向を確認することができる。その場合、デバイスは、顔イメージの縦方向を確認するために、目と眉毛との形状を参照することができる。また、デバイスは、ユーザの顔イメージの縦方向、及びディスプレイ映像の横方向がなす角度に基づいて、ディスプレイ映像の回転方向を決定することができる。
【００７２】
段階Ｓ６１２においてデバイスは、デバイスから出力されるディスプレイ映像を回転させる。段階Ｓ６１２においてデバイスは、段階Ｓ６１０での決定に基づいて、デバイスが回転される場合、ディスプレイ映像を回転させたり、あるいはディスプレイ映像の回転を防止したりすることができる。
【００７３】
段階Ｓ６１２においてデバイスは、デバイスの縦方向にディスプレイ映像を回転させたり、あるいはデバイスの横方向にディスプレイを回転させたりすることができる。デバイスの縦方向に、ディスプレイ映像を回転される場合、ディスプレイ映像の上部分がデバイスの上部分に位置するように、ディスプレイ映像が回転される。また、デバイスの横方向に、ディスプレイ映像が回転される場合、ディスプレイ映像の上部分が、重力の反対方向に位置するように、ディスプレイ映像が回転される。
【００７４】
また、段階Ｓ６１２においてデバイスは、ユーザの顔イメージに基づいて、ディスプレイ映像の回転方向を決定することもできる。段階Ｓ６１２においてデバイスは、ユーザの顔イメージにおいて、目、眉毛及び髪の毛のうち少なくとも１つの位置に基づいて、ユーザの顔の上部分と、ディスプレイ映像の上部分とが一致するように、ディスプレイ映像を回転させることができるが、それに制限されるものではない。
【００７５】
本発明の一実施形態は、コンピュータによって実行されるプログラムモジュールのような、コンピュータによって実行可能な命令語を含む記録媒体の形態でも具現される。コンピュータ可読媒体は、コンピュータによってアクセスされる任意の可用媒体でもあり、揮発性及び不揮発性の媒体、分離型及び非分離型の媒体をいずれも含む。また、コンピュータ可読媒体は、コンピュータ記録媒体及び通信媒体をいずれも含んでもよい。コンピュータ記録媒体は、コンピュータ可読命令語、データ構造、プログラムモジュールまたはその他のデータのような情報の保存のための任意の方法または技術で具現された揮発性及び不揮発性、分離型及び非分離型の媒体をいずれも含む。通信媒体は、典型的には、コンピュータ可読命令語、データ構造、プログラムモジュール、または搬送波のような変調されたデータ信号のその他データ、またはその他伝送メカニズムを含み、任意の情報伝達媒体も含む。
【００７６】
前述の本発明の説明は、例示のためのものであり、本発明が属する技術分野の当業者であるならば、本発明の技術的思想や必須な特徴を変更せずとも、他の具体的な形態に容易に変形が可能であるということを理解することができるであろう。従って、以上で記述した実施形態は、全ての面で例示的なものであり、限定的ではないということで理解しなければならない。
【００７７】
本発明の範囲は、前述の詳細な説明よりは、特許請求の範囲によって示され、特許請求の範囲の意味、範囲及びその均等概念から導き出される全ての変更または変形された形態は、本発明の範囲に含まれるものであると解釈されなければならない。
【符号の説明】
【００７８】
１１０  センサ部
１２０  撮影活性化部
１３０  撮影部
１４０  明るさ調節部
１５０  回転決定部
１６０  映像回転部
１７０  ＤＢ（ｄａｔａｂａｓｅ）
１８０  制御部
【図１】
2015513711.tif 000003
【図２】
2015513711.tif 000004
【図３】
2015513711.tif 000005
【図４】
2015513711.tif 000006
【図５】
2015513711.tif 000007
【図６】
2015513711.tif 000008
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
ディスプレイ映像の回転を制御するデバイスにおいて、
デバイスの回転を感知するセンサ部と、
前記デバイスが回転される場合、ユーザの顔を撮影する撮影部と、
前記撮影されたユーザの顔イメージに基づいて、前記デバイスでディスプレイされる映像の回転を決定する回転決定部と、
前記決定に基づいて、前記ディスプレイ映像を回転させる映像回転部と、を含むデバイス。
【請求項２】
前記デバイスの回転が感知される場合、前記撮影部を活性化させる撮影活性化部をさらに含むことを特徴とする請求項１に記載のデバイス。
【請求項３】
前記回転決定部は、前記顔イメージに含まれた目の形態に基づいて、前記ディスプレイ映像の回転を決定することを特徴とする請求項１に記載のデバイス。
【請求項４】
前記回転決定部は、前記目の横軸及び縦軸のうち少なくとも１つの方向に基づいて、前記ディスプレイ映像の回転を決定することを特徴とする請求項３に記載のデバイス。
【請求項５】
前記回転決定部は、前記顔イメージに含まれた目を連結した連結線の方向に基づいて、前記ディスプレイ映像の回転を決定することを特徴とする請求項１に記載のデバイス。
【請求項６】
前記回転決定部は、前記顔イメージに含まれた髪の毛の形状に基づいて、前記ディスプレイ映像の回転を決定することを特徴とする請求項１に記載のデバイス。
【請求項７】
前記映像回転部は、前記顔イメージに含まれた髪の毛の形状に基づいて、前記ディスプレイ映像の回転方向を決定することを特徴とする請求項６に記載のデバイス。
【請求項８】
前記回転決定部は、前記顔イメージに含まれた目と眉毛との位置に基づいて、前記ディスプレイ映像の回転を決定することを特徴とする請求項１に記載のデバイス。
【請求項９】
前記映像回転部は、前記顔イメージに含まれた目と眉毛との位置に基づいて、前記ディスプレイ映像の回転方向を決定することを特徴とする請求項８に記載のデバイス。
【請求項１０】
前記センサ部は、前記デバイス周辺の照度を測定し、
前記測定された照度に基づいて、前記デバイスの画面明るさを調節する明るさ調節部をさらに含むことを特徴とする請求項１に記載のデバイス。
【請求項１１】
ディスプレイ映像の回転を制御する方法において、
デバイスが回転されたか否かということを判断する段階と、
前記デバイスが回転される場合、ユーザの顔を撮影する段階と、
前記撮影されたユーザの顔イメージに基づいて、前記デバイスでディスプレイされる映像の回転を決定する段階と、
前記決定に基づいて、前記ディスプレイ映像を回転させる段階と、を含む方法。
【請求項１２】
前記デバイスが回転される場合、撮影装置を活性化させる段階をさらに含み、
前記ユーザの顔を撮影する段階は、前記活性化された撮影装置を利用して、前記ユーザの顔を撮影することを特徴とする請求項１１に記載の方法。
【請求項１３】
前記回転を決定する段階は、前記顔イメージに含まれた目の形態に基づいて、前記ディスプレイ映像の回転を決定することを特徴とする請求項１１に記載の方法。
【請求項１４】
前記回転を決定する段階は、前記顔イメージに含まれた髪の毛の形状に基づいて、前記ディスプレイ映像の回転を決定することを特徴とする請求項１１に記載の方法。
【請求項１５】
前記回転を決定する段階は、前記顔イメージに含まれた目と眉毛との位置に基づいて、前記ディスプレイ映像の回転を決定することを特徴とする請求項１１に記載の方法。
【国際調査報告】
2015513711.tif 000009
2015513711.tif 000010